(57)【要約】【課題】  車両に搭載されたブザーの音色、音量、タイミングを任意に調整することができるブザー調整装置を提供する。【解決手段】  音を発するブザー１と、ブザー１を鳴らすタイミング、音色、音量の各データをブザー１の設定項目として格納する記憶部２と、ブザー１の設定項目をブザー設定画面に表示する表示部３と、表示部３にブザー１の設定項目としてブザー１を鳴らす複数のタイミングの一覧、ブザー１の複数の音色の一覧、ブザー１の音量のうちいずれか１つをブザー設定画面に表示させ、所望のタイミングまたは音色もしくは音量を選択できるようにする操作部４と、複数のタイミング、複数の音色、音量の中から選択された所望のタイミングまたは音色もしくは音量を記憶すると共に、この記憶した内容に対応するデータを記憶部２から読み出し、記憶部２から読み出したデータに基づきブザー１を鳴らす制御部５と、を有することを特徴とする。【選択図】        図１
2006010913.tif 000002
【特許請求の範囲】
【請求項１】
音を発するブザー（１）と、
前記ブザーを鳴らすタイミング、前記ブザーの音色、前記ブザーの音量の各データを前記ブザーの設定項目として格納する記憶手段（２）と、
前記ブザーの設定項目をブザー設定画面に表示する表示手段（３）と、
前記表示手段に、前記ブザーの設定項目として、前記ブザーを鳴らす複数のタイミングの一覧、前記ブザーの複数の音色の一覧、前記ブザーの音量のうちいずれか１つをブザー設定画面に表示させることで、前記複数のタイミングの中または前記複数の音色の中もしくは前記音量の中から所望のタイミングまたは音色もしくは音量を選択できるようにするブザー設定手段（４）と、
前記複数のタイミング、前記複数の音色、前記音量の中から選択された所望のタイミングまたは音色もしくは音量を記憶すると共に、この記憶した内容に対応するデータを前記記憶手段から読み出し、前記記憶手段から読み出したデータに基づき前記ブザーを鳴らす制御手段（５）と、を有することを特徴とするブザー調整装置。
【請求項２】
前記ブザーの設定項目には作曲が含まれ、
前記表示部に前記ブザー設定画面として前記作曲を行うための編集画面が表示されると共に、前記編集画面に表示される音符カーソルが前記ブザー設定手段により移動され、符号コンテンツの中から所望の符号が選択されることにより曲が作成されるようになっており、
前記制御手段は、前記作成された曲のデータを前記記憶部に記憶すると共に、前記作成された曲を前記ブザーの音色の１つとするようになっていることを特徴とする請求項１に記載のブザー調整装置。
【発明の詳細な説明】
【技術分野】
【０００１】
本発明は、車両に搭載されるブザーの音色、音圧（音量）、吹鳴タイミングを任意に調整できるブザー調整装置に関する。
【背景技術】
【０００２】
従来より、車載用コンビネーションメータ（以下、コンビメータという）にブザーが内蔵されている。このようなブザーは目的に応じて使い分けられ、例えば、ギアがリバースギアになっている時、シートベルトがなされていない時、キーシリンダにキーが差し込まれたままドアが開けられた時等にブザーが鳴るようになっている。このように、車両状態に応じてブザーを鳴らし、搭乗者に注意を促すようにしている。
【発明の開示】
【発明が解決しようとする課題】
【０００３】
しかしながら、上記従来の技術では、ブザーの音色や音量、さらには鳴るタイミングがあらかじめ決められている。このため、ブザーを介して上記のような車両状態を搭乗者に確実に認識させることが望まれるが、上記従来の技術ではそれが達成できない可能性がある。そして、搭乗者がブザーの音色や音量、さらには鳴らすタイミングを任意に調整できる装置は、今までに提案されていない。
【０００４】
本発明は、上記点に鑑み、車両に搭載されたブザーにおいて、ブザーを鳴らすタイミング、音色、音量を任意に調整することができるブザー調整装置を提供することを目的とする。
【課題を解決するための手段】
【０００５】
上記目的を達成するため、請求項１に記載の発明では、音を発するブザー（１）と、ブザーを鳴らすタイミング、ブザーの音色、ブザーの音量の各データをブザーの設定項目として格納する記憶手段（２）と、ブザーの設定項目をブザー設定画面に表示する表示手段（３）と、表示手段に、ブザーの設定項目として、ブザーを鳴らす複数のタイミングの一覧、ブザーの複数の音色の一覧、ブザーの音量のうちいずれか１つをブザー設定画面に表示させることで、複数のタイミングの中または複数の音色の中もしくは音量の中から所望のタイミングまたは音色もしくは音量を選択できるようにするブザー設定手段（４）と、複数のタイミング、複数の音色、音量の中から選択された所望のタイミングまたは音色もしくは音量を記憶すると共に、この記憶した内容に対応するデータを記憶手段から読み出し、記憶手段から読み出したデータに基づきブザーを鳴らす制御手段（５）と、を有することを特徴としている。
【０００６】
このように、ブザー設定手段を介してブザーの設定画面に表示されるブザーの設定項目を選択することにより、任意にブザーの音色や音量、ブザーを鳴らすタイミングを選択する。これにより、搭乗者がブザーを鳴らしたい時に鳴らしたい音色を鳴らしたい音量で鳴らすようにすることができる。このようにして、搭乗者がブザーを鳴らすタイミング、音色、音量を任意に調整することができる。
【０００７】
請求項２に記載の発明では、ブザーの設定項目には作曲が含まれ、表示部にブザー設定画面として作曲を行うための編集画面が表示されると共に、編集画面に表示される音符カーソルがブザー設定手段により移動され、符号コンテンツの中から所望の符号が選択されることにより曲が作成されるようになっており、制御手段は、作成された曲のデータを記憶部に記憶すると共に、作成された曲をブザーの音色の１つとするようになっていることを特徴としている。
【０００８】
このように、ブザー設定手段にて搭乗者が作曲できるようにする。これにより、搭乗者が自ら作曲した音を、鳴らしたいタイミングおよび音量で鳴らすようにすることができる。したがって、搭乗者に車両に対する親近感を持たせるようにすることができる。
【０００９】
なお、上記各手段の括弧内の符号は、後述する実施形態に記載の具体的手段との対応関係を示すものである。
【発明を実施するための最良の形態】
【００１０】
（第１実施形態）
以下、本発明の第１実施形態について図を参照して説明する。
【００１１】
図１は、本発明の一実施形態に係るブザー調整装置のブロック構成図である。また、図２は、図１に示されるブザー調整装置を車両のインストルメントパネルに備えられたコンビメータに内蔵した設置例を示した図である。このブザー調整装置は、メータ機能とブザー調整機能とを有するものであり、共通の構成要素において、メータ表示およびブザー調整を行うことができるものである。
【００１２】
なお、メータ機能とは、例えば積算走行距離、燃費等を計算および表示する機能を指し、周知のメータ機能として実施されているものを指す。
【００１３】
図１に示されるように、ブザー調整装置は、ブザー１と、記憶部２と、表示部３と、操作部４と、制御部５と、を備えて構成されている。
【００１４】
ブザー１は音を発する周知の音発生手段であり、図２に示されるように、コンビメータ６のパネルの裏面に設置されている。このコンビメータ６のパネルには、後述する表示部３の左側部にこのパネルを貫通する孔７が設けられており、この孔７にブザー１の音発生部位が対向するように配置されている。このブザー１は、後述する制御部５からの音信号を受け取り、その音信号に応じて音を発するようになっている。
【００１５】
記憶部２は、電源が供給されていない状態であっても、データを記憶し続けることができる不揮発性メモリであり、例えばＥＥＰＲＯＭを備えて構成されている。また、記憶部２は、図２に示されるように、コンビメータ６のパネルの裏面に配置されている。このような記憶部２には、音色、音量、ブザー１を鳴らすタイミングなど、ブザー１の設定値が保存されている。さらに、記憶部２には、データが記憶されていないメモリ領域が備えられており、新たなデータの書き込みが可能になっている。
【００１６】
ここで、音色とは曲のことである。また、音量とは音のレベルであり、例えば音量が５段階で表される。ブザー１を鳴らすタイミングとは、後で詳しく述べるが、例えば車両のイグニッションスイッチのオン時やオフ時、所定走行距離到達時等を指す。また、記憶部２に格納されているデータは、必要に応じて制御部５にて読み出されるようになっている。なお、記憶部２は本発明の記憶手段に相当する。
【００１７】
表示部３は、ブザー１の設定画面または車両情報画面を表示するものであり、本実施形態では、ＴＦＴ型液晶パネルが採用される。表示部３は、図２に示されるように、コンビメータ６において中央および下部に位置するように設置されている。このような表示部３においては、表示する画面に対応する信号を制御部５から受け取り、この信号に基づきブザー１の設定画面や車両情報画面を表示する。なお、表示部３は本発明の表示手段に相当する。
【００１８】
操作部４は、ブザー１を鳴らすタイミング等を搭乗者が任意に設定するための操作ボタンであり、十字キー４ａと、ボタン４ｂとを備えて構成されている。十字キー４ａは、上記表示部３に表示される設定画面のカーソルを移動させるものであり、ボタン４ｂは、十字キー４ａで選択した項目を決定するものである。
【００１９】
操作部４のこれら十字キー４ａおよびボタン４ｂは、図２に示されるように、コンビメータ６に設置された表示部３の右側部に備えられている。したがって、搭乗者は、表示部３に表示される設定画面を見ながら、これら十字キー４ａおよびボタン４ｂを操作することにより、ブザー１の音色や音量を設定できるようになっている。
【００２０】
搭乗者にて十字キー４ａやボタン４ｂが操作されると、その操作に対応した信号が出力されるようになっている。例えば、十字キー４ａの右が押されると十字キー４ａから右信号が出力され、ボタン４ｂが押されるとボタン信号が出力される。なお、操作部４は、本発明のブザー設定手段に相当する。
【００２１】
制御部５は、搭乗者が操作部４を操作することにより、表示部３に表示されるブザー１の設定画面において、音色や音量を変更できるようにするものである。制御部５は、ＣＰＵを備えて構成されている。すなわち、制御部５のＣＰＵにはブザー設定プログラムが記憶されており、このプログラムに従った処理がなされることで、ブザー１を鳴らすタイミング、音色、音量を選択できるようになっている。なお、制御部５は本発明の制御手段に相当する。
【００２２】
具体的には、制御部５は、ブザー１の音量を調整するブザー音量調整機能、どんな音色のブザー１をどのタイミングで鳴らすのかを調整するブザー音設定機能、搭乗者がブザー音を作曲できるオリジナルブザー作成機能、そしてブザー設定を行わない場合において積算走行距離や車両の現在の燃費等を表示する車両情報表示機能を有する。このような機能についてはブザー調整装置の作動として以下で詳しく説明する。
【００２３】
なお、上述のように、本装置はメータ機能も有するため、この機能を実現するために車両に搭載されている図示しないセンサ・スイッチ類、例えばイグニッションスイッチ、車速センサ、車輪速度センサ、エンジン回転数センサ等にて検出される信号が上記制御部５に入力されるようになっている。
【００２４】
以上が本実施形態におけるブザー調整装置の構成である。このブザー調整装置は、車両に搭載されたバッテリから電力を供給されているため、常時稼働できるようになっている。
【００２５】
次に、ブザー調整装置が行うブザー吹鳴処理について、図３〜図８に示されるブザー設定画面を参照して説明する。この処理は、ブザー調整装置によって実行され、制御部５のＣＰＵに記録されているプログラム、すなわち、ブザー設定プログラムにより実行されるものである。このブザー設定プログラムは、本装置に電源が供給されると共に実行される。以下では、このブザー設定プログラムが実行されることによって表示部３に表示される設定画面を追うこととする。
【００２６】
また、以下で説明する作動は、操作部４、制御部５、記憶部２、表示部３のそれぞれにて信号が授受されることによりなされる。具体的には、表示部３に表示される設定画面に基づき操作部４にて十字キー４ａまたはボタン４ｂが操作されると、その旨を示す信号が制御部５に入力される。続いて、制御部５において、先に選択された設定画面および設定項目に関するデータが記憶部２から読み出され、表示部３に表示される。そして、操作部４にて決定された項目（タイミング、曲、吹鳴時間）は制御部５に記憶され、設定された条件にてブザー１が鳴らされる。
【００２７】
ブザー設定について、図３〜図８に示される遷移画面を参照して説明する。なお、図３〜図８に示される画面は、すべて表示部３に表示されるものである。また、各設定の選択および決定は、操作部４の十字キー４ａにてカーソルを移動させ、選択した項目においてボタン４ｂを押すことによりなされる。
【００２８】
図３は、画面表示例を示した図である。図３（ａ）は、車両走行中に表示される積算走行距離を表示した図である。図３（ｂ）は、ブザー機能設定画面の設定項目を表示した図である。
【００２９】
図３（ａ）に示されるように、ブザー機能設定を行わない場合には、例えば車両の積算走行距離（航続可能距離）や車両の現在の燃費等が表示される。また、図３（ａ）において、画面右下に示される「ブザー設定画面→」に示されるように、操作部４の十字キー４ａの「右」を押すと、ブザー設定画面、すなわち図３（ｂ）に示される画面に遷移する。
【００３０】
図４は、図３（ｂ）に示されるブザー設定画面の具体的な遷移画面を示した図である。図４（ａ）は、図３（ｂ）に示されるブザー機能設定画面である。ここで、図４（ａ）に示されるブザー機能設定、すなわちブザー吹鳴音量調整画面、吹鳴ブザー音設定画面、オリジナルブザー作成画面のうち、所望の画面を選択する。
【００３１】
ここで、ブザー吹鳴音量調整画面を選択すると、図４（ｂ）に示されるブザー吹鳴音量調整に進む。そして、図４（ｂ）のブザー吹鳴音量調整において、各ウォーニング音量設定、オリジナルブザー音量設定のいずれか一方の設定を選択する。各ウォーニング音量設定を選択した場合には図４（ｅ）に進み、オリジナルブザー音量設定を選択した場合には図４（ｆ）に進む。
【００３２】
図４（ｅ）に示されるウォーニングブザー音量調整では、搭乗者に注意を促すためのウォーニング項目、例えばリバースブザー、キー忘れ、シートベルトブザー等、いずれか１つの項目の音量を変更する旨を選択する。ここで、例えばリバースブザーを選択すると、図４（ｇ）の音量調整画面に進む。そして、十字キー４ａの左右を押して所望の音量に調整し、決定する。すると、図４（ｈ）に示されるように、リバースブザーの音量が決定された旨が表示される。この後、再び図４（ｅ）に示されるウォーニングブザー音量調整画面に戻る。
【００３３】
一方、図４（ｂ）に示されるブザー吹鳴音量調整画面においてオリジナルブザー音量設定を選択すると図４（ｆ）に進む。図４（ｆ）に示されるオリジナルブザー音量調整では、搭乗者が所望のタイミングにてブザーを鳴らす項目、例えばイグニッションスイッチオン（ＩＧ−ＯＮ）、エンジンオン（ＥＮＧ−ＯＮ）、イグニッションスイッチオフ（ＩＧ−ＯＦＦ）等、いずれか１つの項目の音量を変更するかを選択する。この後、図示しないが、図４（ｇ）に示される音量調整と同様の音量調整を行う。
【００３４】
なお、図４（ｂ）〜（ｆ）の各設定画面の左下に表示される「←戻る」のように、十字キー４ａの左を押すことにより、一つ前の画面に戻ることができる。
【００３５】
次に、図４（ｃ）における吹鳴ブザー音設定について、図５を参照して説明する。図５は、吹鳴ブザー音設定画面を示した図であり、図５（ａ）は図４（ｃ）に示される画面と同じである。まず、図５（ａ）に示される吹鳴ブザー音設定項目を選択および決定する。
【００３６】
ここで、吹鳴ブザー音設定項目について説明する。吹鳴ブザー音設定項目とは、搭乗者がブザーを所望のタイミングにて鳴らす項目を指し、例えば、イグニッションスイッチオン、エンジンオン、イグニッションスイッチオフ、最高燃費記録更新、記念走行距離、記念日、連続運転警告等が該当する。なお、記念走行距離や記念日は、複数設定可能である。
【００３７】
図５（ａ）において、例えばイグニッションスイッチオンを選択した場合、図５（ｂ）に進む。そして、図５（ｂ）において、イグニッションスイッチオン時にどの曲を鳴らすのかを選択（例えば「オリジナル音II」）、決定する。この後、図５（ｃ）の吹鳴時間設定画面に進み、何秒間吹鳴させるかを設定（例えば１１秒）する。これは、十字キー４ａの上下を押して数字を変更することにより設定する。このようにして、曲および時間を設定すると、図５（ｄ）に示されるようにイグニッションスイッチオン時にオリジナル音IIが設定されたことが表示される。この設定により、イグニッションスイッチオン時には、オリジナル音IIが１１秒間鳴ることとなる。こうして設定されると、吹鳴ブザー音設定画面に戻る。
【００３８】
また、図５（ａ）に示される吹鳴ブザー音設定画面において、記念走行距離Ｉを選択、決定すると、図５（ｅ）に進む。そして、図５（ｅ）において、記念走行距離Ｉ時にどの曲を鳴らすのかを選択（例えばオリジナル音II）、決定する。この後、図５（ｆ）に進み、所定距離ごとに曲が鳴るように、距離を設定する。すなわち、上下キー４ａを上下させて数字を変更すると共に所望の距離を選択（例えば１０００ｋｍ）、決定する。この後、図５（ｃ）、（ｄ）と同様に、図５（ｇ）、（ｈ）にて吹鳴時間の設定および設定確認表示を行う。この設定により、走行距離が１０００ｋｍに達するごとに、オリジナル音IIが１０秒間鳴ることとなる。こうして設定されると、図５（ａ）に示される吹鳴ブザー音設定画面に戻る。
【００３９】
なお、他の吹鳴ブザー音設定項目も同様に設定する。このようにして、搭乗者がブザーを鳴らしたい項目を鳴らしたい曲で鳴らしたいタイミングにて鳴るように設定する。
【００４０】
次に、図４（ｄ）に示されるオリジナルブザー作成について図６〜図８を参照して説明する。図６は、オリジナルブザー設定画面を示した図であり、図６（ａ）は、図４（ｄ）に示される画面と同じである。まず、図６（ａ）に示されるオリジナル項目のうち、編集する項目を選択（例えばオリジナルＩ）、決定する。なお、図６（ａ）において、あらかじめ曲が設定されている項目は「オリジナル」と表示され、曲が設定されていない場合には空欄（「ＮＯＴＩＴＬＥ」）になっている。
【００４１】
図６（ａ）において、「オリジナルＩ」を選択、決定すると、図６（ｂ）において「オリジナルＩ」の編集を行う。すなわち、「オリジナルＩ」に対して「消去」または「編集」のいずれか一方を選択、決定する。
【００４２】
図６（ｂ）において、「編集」を選択、決定した場合には図６（ｃ）に進む。図６（ｃ）に進むと、「オリジナルＩ」を編集するか否かの確認を行う。編集をしない場合（ＮＧ）には、図６（ｂ）の画面に戻る。編集する場合（ＯＫ）には、図６（ｄ）に進む。
【００４３】
図６（ｄ）においては、楽譜の選択を行う。つまり、３拍子または４拍子のいずれか一方を選択、決定する。この後、図６（ｅ）に進み、オリジナルブザーを編集する。このオリジナルブザーの編集については、図７を参照して後で詳しく説明する。
【００４４】
こうして曲の編集が終了すると、図６（ｆ）に進み、編集の終了を確認する。図６（ｆ）において、曲の編集を終了しない場合（ＮＧ）には図６（ｅ）に戻り、再び曲の編集を行う。図６（ｆ）において、曲の編集を終了する場合（ＯＫ）には、図６（ｇ）に進み、オリジナルＩの曲編集を終了する。こうして曲の編集が終了すると、図６（ａ）に示されるオリジナルブザー作成画面に戻る。
【００４５】
一方、図６（ｂ）において「消去」を選択、決定した場合には図６（ｈ）に進む。そして、例えば「オリジナルＩ」を消去する場合には「ＯＫ」を選択すると図６（ｉ）に進む。そして、図６（ｉ）に示されるように、「オリジナルＩ」が消去された確認画面が表示され、図６（ａ）に示されるオリジナルブザー作成画面に戻る。また、図６（ｈ）において、「オリジナルＩ」を消去しない場合には「ＮＧ」を選択すると図６（ｂ）のオリジナルブザー編集画面に戻る。
【００４６】
ここで、図６（ｃ）における曲編集について説明する。図７は、オリジナルブザー編集画面を示した図である。図７（ａ）は、図６（ｃ）と同様である。図７（ａ）、（ｂ）に示されるように、十字キー４ａの上下を押すことにより、音符カーソルを移動させて符号（音符）の音程を選択する。このとき、音符カーソルは点滅して表示される。なお、本実施形態では、図７の画面において下部に表示される音符は、「全・２分・４分・８分・１６分音符・３連符」、「全・２分・４分・８分・１６分休符」、「終止線」が用意されており、十字キー４ａを左右に移動させることにより選択できるようになっている（図７においては上記のうち一部のみが表示された状態になっている）。この後、図７（ｃ）に示されるように、十字キー４ａの左右を押すことにより、符号コンテンツの中から所望の音符を選択する。そして、ボタン４ｂを押して決定する。
【００４７】
すると、図７（ｄ）に示されるように、音符カーソルが右横に移動し、次の符号が編集できるようになる。なお、十字キー４ａにおいて左右を押すことにより、先に決定した符号を再度編集できるようになっている。こうして、図７（ｅ）に示されるように次々と符号を編集していく。そして、編集の最後に「終止線」を選択して決定すると曲編集は終了し、図６（ｆ）に示される編集終了の確認画面に進む。
【００４８】
以上は、あらかじめ設定されているオリジナルＩを編集する場合についての説明であるが、例えば図６（ａ）において、空欄（「ＮＯＴＩＴＬＥ」）を選択し、新規に曲を編集することもできる。そして、曲編集後に曲名を設定する。このことについて、図８を参照して説明する。
【００４９】
図８は、曲名の編集画面を示した図である。図７において、「終止線」が選択されて曲編集が終了すると、図８（ａ）に示される曲名設定画面に移行する。そして、十字キー４ａを上下させて文字を選択し、ボタン４ｂにて決定する。図８（ｂ）に示されるように、これを繰り返して所望の曲名を入力する。曲名を入力した後、十字キー４ａの上下ボタンにて「ＥＮＤ」を選択し、図８（ｃ）に示される編集終了の確認画面に進む。
【００５０】
図８（ｃ）において、「ＯＫ」の場合には図６（ｆ）、（ｇ）に示される画面に進み、先に作成した曲が保存、設定される。一方、図８（ｃ）において、「ＮＧ」の場合には再び図８（ｂ）の画面に戻り、編集を続けることとなる。なお、十字キー４ａにてカーソルを移動させることにより、移動させたカーソル位置の文字を書き換えおよび消去することにより編集を行う。
【００５１】
以上、説明したブザー機能設定は、車両のギアが「Ｐ」または「Ｎ」レンジになっている場合にのみ操作することができるようになっている。また、ブザー機能設定において、設定中に例えば１０秒以上操作部４による操作が行われない場合には、車両情報画面に移行する。なお、車両情報画面の設定は、上記ブザー機能設定と同様に、操作部４を操作することにより設定可能となっている。
【００５２】
以上説明したように、本実施形態では、車両に搭載されるブザー１において、その音色、音量、鳴るタイミングを任意に設定している。すなわち、表示部３に表示されるブザー１の設定画面に示されるブザー１の設定項目にて、任意にブザー１の音色や音量、そしてブザー１を鳴らすタイミングを選択および決定する。これにより、搭乗者がブザー１を鳴らしたい時に鳴らしたい音色を鳴らしたい音量で鳴らすようにすることができる。このようにして、搭乗者がブザー１を鳴らすタイミング、音色、音量を任意に調整することができる。
【００５３】
また、本装置においては、制御部５に作曲機能を持たせ、操作部４を操作することにより搭乗者が作曲できるようにする。これにより、搭乗者が自ら作曲した音を、鳴らしたいタイミングおよび音量で鳴らすようにすることができる。したがって、搭乗者が車両に対して親近感を得るようにすることができる。
【００５４】
（他の実施形態）
本装置は、上記第１実施形態に示される構成以外で構成されても構わないことは言うまでもない。また、コンビメータ６に配置される表示部３、ブザー１の孔７、操作部４の位置は、上記第１実施形態に限るものではない。
【００５５】
上記第１実施形態では、１つのブザー１のみから音を発するようにしているが、複数個のブザー１を用意して、これら複数個のブザー１から音を発するようにしても良い。これにより、厚みのある音を発することができ、搭乗者に音を容易に認識させることができる。
【００５６】
上記第１実施形態では、表示部４にＴＦＴ型液晶パネルが採用されているが、ドット型液晶パネルを採用しても構わない。このように、本装置の基本機能を画面表示できるものであればどんな表示手段を用いても構わない。
【００５７】
上記第１実施形態では、記憶部２に記憶されている曲があらかじめ決められているが、例えば、曲を配信する基地局と車両との間で無線通信を行うことにより、記憶部２に記憶されていない曲をダウンロードすることも可能である。
【００５８】
また、記憶部２に記憶されている曲においては、削除できる曲と削除できない曲とを設定することで、記憶部２からすべての曲が削除されることを防止できる。
【００５９】
上記装置にリセット機能を持たせることもできる。すなわち、搭乗者が様々なタイミングにおいて音色や音量を設定したが、すべての設定をやり直したい場合に、このリセット機能により搭乗者によって設定された項目を初期状態に戻すことができる。このような機能は、あらかじめブザー１の設定項目に含めることで実現できる。
【００６０】
上記第１実施形態では、搭乗者が表示部３に表示される設定画面を見ながら、操作部４の十字キー４ａおよびボタン４ｂを操作することにより、ブザー１を設定しているが、ブザー１の設定方法はこれに限るものではない。例えば、表示部３をタッチパネルとし、搭乗者がこのタッチパネルを直接触れることで表示部３に表示される設定画面の項目を選択できるようにしても良い。また、操作部４をリモコンとし、無線通信により、表示部３に表示されるブザー１の設定を変更するようにしても構わない。
【図面の簡単な説明】
【００６１】
【図１】本発明の一実施形態に係るブザー調整装置のブロック構成図である。
【図２】図１に示されるブザー調整装置をインストルメントパネルに備えられたコンビメータに内蔵した設置例を示した図である。
【図３】画面表示例を示した図であり、（ａ）は車両走行中に表示される積算走行距離を表示した図、（ｂ）はブザー機能設定画面の設定コンテンツを表示した図である。
【図４】図３（ｂ）に示されるブザー設定画面の具体的な遷移画面を示した図である。
【図５】吹鳴ブザー音設定画面を示した図である。
【図６】オリジナルブザー設定画面を示した図である。
【図７】オリジナルブザー編集画面を示した図である。
【図８】曲名の編集画面を示した図である。
【符号の説明】
【００６２】
１…ブザー、２…記憶部、３…表示部、４…操作部、４ａ…十字キー、４ｂ…ボタン、
５…制御部、６…コンビメータ、７…孔。
【図１】
2006010913.tif 000003
【図２】
2006010913.tif 000004
【図３】
2006010913.tif 000005
【図４】
2006010913.tif 000006
【図５】
2006010913.tif 000007
【図６】
2006010913.tif 000008
【図７】
2006010913.tif 000009
【図８】
2006010913.tif 000010